(57)【特許請求の範囲】
【請求項１】
一つのキャリア増幅器と一つのピーク増幅器で構成される回路を単位ドハティ増幅器とし、当該単位ドハティ増幅器を複数用いて構成するドハティ増幅器において、
前記複数の単位ドハティ増幅器におけるピーク増幅器の入力側に設けられ、前記複数の単位ドハティ増幅器のピーク増幅器が共用する第１の１／４波長線路と、
入力信号を、前記複数の単位ドハティ増幅器のキャリア増幅器に分配すると共に、前記第１の１／４波長線路を介して、前記複数の単位ドハティ増幅器のピーク増幅器に分配する信号分配器と、
前記複数の単位ドハティ増幅器のキャリア増幅器の出力にそれぞれ接続された第２の１／４波長線路と、
前記第２の１／４波長線路の出力と、前記複数の単位ドハティ増幅器のピーク増幅器の出力とを合成する信号合成器とを備え、
それぞれの前記単位ドハティ増幅器におけるキャリア増幅器の出力側とピーク増幅器の出力側とをそれぞれ対向するよう設置し、かつ、前記キャリア増幅器と前記ピーク増幅器との間に第２の１／４波長線路を接続したことを特徴とするドハティ増幅器。
【請求項２】
２＾ｎ（ｎは自然数）個の前記単位ドハティ増幅器を有することを特徴とする請求項１記載のドハティ増幅器。
【請求項３】
前記一つのキャリア増幅器及び前記一つのピーク増幅器に代えて、縦続接続した複数のキャリア増幅器及び縦続接続した複数のピーク増幅器により、前記単位ドハティ増幅器を構成することを特徴とする請求項１または請求項２記載のドハティ増幅器。
【請求項４】
縦続接続する最前段の前記キャリア増幅器及び前記ピーク増幅器を複数の前記単位ドハティ増幅器における後段側の前記キャリア増幅器及び前記ピーク増幅器で共用することを特徴とする請求項３記載のドハティ増幅器。
【請求項５】
共用する最前段の前記キャリア増幅器と前記ピーク増幅器は、それぞれの入力側が対向して設置されることを特徴とする請求項４記載のドハティ増幅器。
【請求項６】
縦続接続した複数のキャリア増幅器と縦続接続した複数のピーク増幅器で構成される回路を単位ドハティ増幅器とし、当該単位ドハティ増幅器を複数用いて構成するドハティ増幅器において、
前記複数の単位ドハティ増幅器におけるピーク増幅器の入力側に設けられ、前記複数の単位ドハティ増幅器のピーク増幅器が共用する第１の１／４波長線路と、
入力信号を、前記複数の単位ドハティ増幅器のキャリア増幅器に分配すると共に、前記第１の１／４波長線路を介して、前記複数の単位ドハティ増幅器のピーク増幅器に分配する信号分配器と、
前記複数の単位ドハティ増幅器のキャリア増幅器の出力にそれぞれ接続された第２の１／４波長線路と、
前記第２の１／４波長線路の出力と、前記複数の単位ドハティ増幅器のピーク増幅器の出力とを合成する信号合成器とを備え、
縦続接続する最前段の前記キャリア増幅器及び前記ピーク増幅器を複数の前記単位ドハティ増幅器における後段側の前記キャリア増幅器及び前記ピーク増幅器で共用し、
共用する最前段の前記キャリア増幅器と前記ピーク増幅器は、それぞれの入力側が対向して設置されることを特徴とするドハティ増幅器。
【請求項７】
２＾ｎ（ｎは自然数）個の前記単位ドハティ増幅器を有することを特徴とする請求項６記載のドハティ増幅器。
【発明の詳細な説明】
【技術分野】
【０００１】
本発明は、出力側の周波数依存性を低減することで、広帯域な特性を有する高出力ドハティ増幅器に関するものである。
【背景技術】
【０００２】
増幅する信号のピーク電力と平均電力の比であるクレストファクターの増加に伴い、ドハティ増幅器には一層の高出力化が求められている。ドハティ増幅器の高出力化に伴い、トランジスタのインピーダンス低下や接続用線路長の伸長により狭帯域化する問題がある。特に信号の波長に対する線路長が数ＧＨｚ帯以上の高周波では相対的に長くなるため、線路長の伸長による狭帯域化が深刻な問題となる。そのため、数ＧＨｚ以上の周波数では高出力化と広帯域化の両立が強く求められている。
【０００３】
従来のドハティ増幅器として、高出力化を図るため、キャリア増幅器およびピーク増幅器をそれぞれ二つのトランジスタで構成したものがあった（例えば、特許文献１参照）。図７は、その出力側構成を示し、図８に全体回路構成を示す。これらの図に示すように、ドハティ増幅器は、二つのトランジスタ２０１ａを並列接続したキャリア増幅器２０２と、二つのトランジスタ２０１ｂを並列接続したピーク増幅器２０３と、これらキャリア増幅器２０２の出力とピーク増幅器２０３の出力を送出するための出力端子２０４と、これらキャリア増幅器２０２とピーク増幅器２０３とに信号を入力するための入力端子２０５と、キャリア増幅器２０２と出力端子２０４間に設けられ、動作周波数で１／４波長となる１／４波長線路２０６とを備えている。尚、このようなドハティ増幅器を従来例１とする。
【０００４】
このように構成された従来例１のドハティ増幅器は、キャリア増幅段とピーク増幅段で構成されるが、キャリア増幅段は入力信号が小さいとき（以下、「小信号時」という）に線形性を確保するために、ピーク増幅段は入力信号が大きいとき（以下、「大信号時」という）に飽和電力を確保するために使用される。キャリア増幅段は、通常Ａ級からＡＢ級ないしはＢ級にバイアスされるため、入力信号のレベルにかかわらず増幅を行い出力する。ピーク増幅段は、通常Ｃ級にバイアスされるため、小信号時は非動作状態となり、大信号時には動作状態となって信号を増幅し出力する。即ち、小信号時はキャリア増幅器２０２のみの動作となるので、高効率動作となり、大信号時はキャリア増幅器２０２とピーク増幅器２０３の出力が合成されるので高い飽和電力が確保される。
【０００５】
また、従来例２として図９に示すようなドハティ増幅器があった。このドハティ増幅器は、例えば、特許文献２に記載されたようなドハティ増幅器であり、一つのキャリア増幅器２０２と一つのピーク増幅器２０３とからなる回路を単位ドハティ増幅器２０９ａ（２０９ｂ）とし、二つの単位ドハティ増幅器２０９ａ，２０９ｂからの出力を合成するようにしたものである。即ち、入力端子２０５からの信号を、分配器２０７によってそれぞれの単位ドハティ増幅器２０９ａ，２０９ｂに分配し、それぞれの単位ドハティ増幅器２０９ａ，２０９ｂの出力を合成器２０８を介して出力端子２０４から出力する。また、それぞれの単位ドハティ増幅器２０９ａ，２０９ｂでは、ピーク増幅器２０３の入力側に１／４波長線路２０６を接続すると共に、キャリア増幅器２０２の出力側に１／４波長線路２０６を接続している。
【先行技術文献】
【特許文献】
【０００６】
【特許文献１】特開２０１０−１１１８６号公報
【特許文献２】特開２００６−６７１７６号公報
【発明の概要】
【発明が解決しようとする課題】
【０００７】
ドハティ増幅器の高出力化を図る方法として、（１）高出力なトランジスタを用いる方法、（２）複数個のトランジスタを並列接続して高出力化する方法、（３）複数の単位ドハティ増幅器を並列接続する方法が挙げられる。（２）の方法は上記の従来例１、（３）の方法は従来例２に相当する。
【０００８】
（１）の方法による高出力化は、小型で高出力な特性を容易に実現できる利点はあるものの、放熱能力の問題からトランジスタ単体の高出力化には限度があり、十分な高出力化が図れない問題がある。また、（２）の方法による高出力化は、並列接続するトランジスタ数を増加させることで容易に高出力化が図れる利点がある。しかしながら、トランジスタの出力を合成する回路を含むため、キャリア増幅器２０２およびピーク増幅器２０３を構成するトランジスタから単位ドハティ増幅器の出力端までの線路長が長くなり、狭帯域化するという問題があった。一方、（３）の方法による高出力化は、単位ドハティ増幅器２０９ａ，２０９ｂの出力を合成するため、単位ドハティ増幅器２０９ａ，２０９ｂの出力端からトランジスタまでの線路長が変化せず、狭帯域化しない利点がある。しかしながら、従来例２の構成では、その入力側に、単位ドハティ増幅器の数だけ１／４波長線路２０６を必要とするため、ドハティ増幅器が大型化する問題があった。
【０００９】
上記（２）の方法の問題点として、ピーク増幅器を構成するトランジスタから単位ドハティ増幅器の出力端までの線路長が長くなることに伴い、高出力ドハティ増幅器が狭帯域化することを以下に示す。
図９に示す従来例２のドハティ増幅器では、入力側に複数の１／４波長線路２０６を必要とするため、大型化する問題があるものの、ピーク増幅器２０３と単位ドハティ増幅器２０９ａ，２０９ｂの出力端は直結されている。小信号時に単位ドハティ増幅器の出力端からピーク増幅器２０３のトランジスタを見込んだ出力反射特性を図１０に示す。中心周波数である１４．２５ＧＨｚではピーク増幅器２０３の出力インピーダンスはほぼオープンに近い状態となっており、小信号時はピーク増幅器２０３がキャリア増幅器２０２の動作に影響を与えない状態になっている。このとき、０．２５ＧＨｚ離れた１４．０ＧＨｚおよび１４．５ＧＨｚでの反射位相は＋５５，−５８ｄｅｇになっている。
図１１に従来例２の高出力ドハティ増幅器の小信号利得を示す。１４〜１４．５ＧＨｚにおいて平坦な利得特性が得られていることが確認できる。
【００１０】
一方、図８に示した従来例１のドハティ増幅器は、トランジスタの合成回路がドハティ増幅器内部に含まれている。小信号時に出力端子２０４からピーク増幅器２０３のトランジスタを見込んだ出力反射特性を図１２に示す。０．２５ＧＨｚ離れた１４．０ＧＨｚおよび１４．５ＧＨｚでは反射位相が＋７０，−７８ｄｅｇになっており、短絡状態に近づいていることがわかる。図１３に従来例１の高出力ドハティ増幅器の小信号利得を示す。１４．５ＧＨｚにおいて利得が低下しており、狭帯域化していることがわかる。
【００１１】
このように、従来のドハティ増幅器では、広帯域化と小型化とを両立することが困難であった。
【００１２】
この発明は上記のような課題を解決するためになされたもので、広帯域化と小型化を図ることのできるドハティ増幅器を得ることを目的とする。
【課題を解決するための手段】
【００１３】
この発明に係るドハティ増幅器は、一つのキャリア増幅器と一つのピーク増幅器で構成される回路を単位ドハティ増幅器とし、単位ドハティ増幅器を複数用いて構成するドハティ増幅器において、複数の単位ドハティ増幅器におけるピーク増幅器の入力側に設けられ、複数の単位ドハティ増幅器のピーク増幅器が共用する第１の１／４波長線路と、入力信号を、複数の単位ドハティ増幅器のキャリア増幅器に分配すると共に、第１の１／４波長線路を介して、複数の単位ドハティ増幅器のピーク増幅器に分配する信号分配器と、複数の単位ドハティ増幅器のキャリア増幅器の出力にそれぞれ接続された第２の１／４波長線路と、第２の１／４波長線路の出力と、複数の単位ドハティ増幅器のピーク増幅器の出力とを合成する信号合成器とを備え、それぞれの単位ドハティ増幅器におけるキャリア増幅器の出力側とピーク増幅器の出力側とをそれぞれ対向するよう設置し、かつ、キャリア増幅器とピーク増幅器との間に第２の１／４波長線路を接続したものである。
【発明の効果】
【００１４】
この発明のドハティ増幅器は、複数の単位ドハティ増幅器のピーク増幅器が一つの１／４波長線路を共用するようにしたので、ドハティ増幅器として広帯域化と小型化を図ることができる。
【図面の簡単な説明】
【００１５】
【図１】この発明の実施の形態１によるドハティ増幅器を示す構成図である。
【図２】この発明の実施の形態２によるドハティ増幅器を示す構成図である。
【図３】この発明の実施の形態３によるドハティ増幅器を示す構成図である。
【図４】この発明の実施の形態３によるドハティ増幅器の他の例を示す構成図である。
【図５】この発明の実施の形態４によるドハティ増幅器を示す構成図である。
【図６】この発明の実施の形態５によるドハティ増幅器を示す構成図である。
【図７】従来例１のドハティ増幅器の出力側を示す構成図である。
【図８】従来例１のドハティ増幅器を示す構成図である。
【図９】従来例２のドハティ増幅器を示す構成図である。
【図１０】従来例２における小信号時に単位ドハティ増幅器の出力端からピーク増幅器のトランジスタを見込んだ出力反射特性を示す説明図である。
【図１１】従来例２における小信号利得を示す説明図である。
【図１２】従来例１における小信号時に出力端子からピーク増幅器のトランジスタを見込んだ出力反射特性を示す説明図である。
【図１３】従来例１における小信号利得を示す説明図である。
【発明を実施するための形態】
【００１６】
実施の形態１．
図１は、この発明の実施の形態１によるドハティ増幅器を示す構成図である。
図１に示すドハティ増幅器は、単位ドハティ増幅器１００ａとして、キャリア増幅器１ａとピーク増幅器２ａを備え、単位ドハティ増幅器１００ｂとして、キャリア増幅器１ｂとピーク増幅器２ｂを備えている。それぞれの単位ドハティ増幅器１００ａ，１００ｂにおけるピーク増幅器２ａ，２ｂの入力側には共通の１／４波長線路（第１の１／４波長線路）３が設けられている。また、この１／４波長線路３の入力およびキャリア増幅器１ａ，１ｂの入力と、入力端子４との間に、信号分配器５が設けられている。この信号分配器５は、入力端子４からの入力信号を、単位ドハティ増幅器１００ａ，１００ｂにおけるそれぞれのキャリア増幅器１ａ，１ｂに分配すると共に、１／４波長線路３を介して、単位ドハティ増幅器１００ａ，１００ｂにおけるそれぞれのピーク増幅器２ａ，２ｂに分配するもので、１／４波長線路を用いて構成されている。
【００１７】
キャリア増幅器１ａ，１ｂの出力には、それぞれ１／４波長線路（第２の１／４波長線路）６ａ，６ｂが接続され、１／４波長線路６ａ，６ｂの出力とピーク増幅器２ａ，２ｂの出力とが信号合成器７に入力されるよう構成されている。信号合成器７は、１／４波長線路６ａ，６ｂの出力と、ピーク増幅器２ａ，２ｂの出力とを合成して、出力端子８に出力するもので、１／４波長線路を用いて構成されている。また、それぞれの単位ドハティ増幅器１００ａ，１００ｂにおける群遅延時間はほぼ等しくなるよう構成されている。
【００１８】
このように構成されたドハティ増幅器では、キャリア増幅器１ａ，１ｂは、Ａ級からＡＢ級あるいはＢ級にバイアスされ、入力信号のレベルにかかわらず増幅を行い、出力信号は、１／４波長線路６ａ，６ｂを介して信号合成器７に入力され、信号合成器７から出力端子８に出力される。一方、ピーク増幅器２ａ，２ｂはＣ級にバイアスされ、小信号時は非動作状態となり、大信号時は動作状態となって信号を増幅し出力する。このような動作は従来と同様である。
【００１９】
実施の形態１では、出力側は、二つの単位ドハティ増幅器１００ａ，１００ｂを合成する構成とすることで、ピーク増幅器２ａ，２ｂを構成するトランジスタから単位ドハティ増幅器１００ａ，１００ｂの出力端までの線路長が長くなるのを防止し、広帯域化を図ることができる。また、入力側は１／４波長線路３を互いに単位ドハティ増幅器１００ａ，１００ｂで共用することで、単位ドハティ増幅器１００ａ，１００ｂを合成する際に問題となる大型化を防止することができる。これにより、小型で広帯域な高出力ドハティ増幅器を実現することができる。
【００２０】
尚、実施の形態１では、単位ドハティ増幅器１００ａ，１００ｂの入力側と出力側に１／４波長線路からなる信号分配器５と信号合成器７とが接続されているが、１／４波長の奇数倍の線路を接続しても良い。また、１／４波長線路３，６ａ，６ｂは、ピーク増幅器２ａ，２ｂの入力側およびキャリア増幅器１ａ，１ｂの出力側に接続されているが、ピーク増幅器２ａ，２ｂの出力側およびキャリア増幅器１ａ，１ｂの入力側に接続したインバーテッドドハティ増幅器でも良い。このようにインバーテッドドハティ増幅器とすることで、キャリア増幅器１ａ，１ｂの線路長を１／２波長にすることなく、ドハティ増幅器を実現することができ、小型で高効率な増幅器を実現することができる。さらに、単位ドハティ増幅器１００ａ，１００ｂの入力側と出力側に接続された信号分配器５と信号合成器７の線路の短縮化を図るため、１／４波長線路をローパスフィルタやハイパスフィルタ等を用いて集中定数化してもよい。
【００２１】
以上説明したように、実施の形態１のドハティ増幅器によれば、一つのキャリア増幅器と一つのピーク増幅器で構成される回路を単位ドハティ増幅器とし、単位ドハティ増幅器を複数用いて構成するドハティ増幅器において、複数の単位ドハティ増幅器におけるピーク増幅器の入力側に設けられ、複数の単位ドハティ増幅器のピーク増幅器が共用する第１の１／４波長線路と、入力信号を、複数の単位ドハティ増幅器のキャリア増幅器に分配すると共に、第１の１／４波長線路を介して、複数の単位ドハティ増幅器のピーク増幅器に分配する信号分配器と、複数の単位ドハティ増幅器のキャリア増幅器の出力にそれぞれ接続された第２の１／４波長線路と、第２の１／４波長線路の出力と、複数の単位ドハティ増幅器のピーク増幅器の出力とを合成する信号合成器とを備えたので、広帯域化と小型化を図ることができる。
【００２２】
実施の形態２．
図２は、実施の形態２におけるドハティ増幅器を示す構成図である。
実施の形態２のドハティ増幅器は、２＾ｎ（ｎは自然数）個の単位ドハティ増幅器を用いる例であり、図示例では、２２個の単位ドハティ増幅器１００ａ，１００ｂ，１００ｃ，１００ｄを用いる場合を示している。即ち、実施の形態２では実施の形態１のドハティ増幅器を２組備えており、単位ドハティ増幅器１００ａ，１００ｂの構成は、実施の形態１と同様である。また、単位ドハティ増幅器１００ｃ，１００ｄの構成は、単位ドハティ増幅器１００ａ，１００ｂと同様である。また、信号分配器５は、入力端子４から入力された信号を、各単位ドハティ増幅器１００ａ〜１００ｄのキャリア増幅器１ａ，１ｂと１／４波長線路３とに分配するもので、１／４波長線路を用いて構成されている。更に、信号合成器７は、各単位ドハティ増幅器１００ａ〜１００ｄにおける１／４波長線路６ａ，６ｂの出力と、ピーク増幅器２ａ，２ｂの出力とを合成して出力端子８に出力するもので、１／４波長線路を用いて構成されている。
【００２３】
このように構成されたドハティ増幅器における基本的な動作は実施の形態１と同様であり、各単位ドハティ増幅器１００ａ〜１００ｄの出力が合成されて出力される。
【００２４】
以上説明したように、実施の形態２のドハティ増幅器によれば、２＾ｎ（ｎは自然数）個の単位ドハティ増幅器を有するようにしたので、ドハティ増幅器としてさらに高出力化を図ることができる。
【００２５】
実施の形態３．
図３は、実施の形態３のドハティ増幅器を示す構成図である。
実施の形態３のドハティ増幅器は、それぞれの単位ドハティ増幅器１００ａ，１００ｂにおいて、キャリア増幅器１ａ，１ｂとピーク増幅器２ａ，２ｂの出力側を対向設置するようにしたものである。即ち、キャリア増幅器１ａ，１ｂの出力側とピーク増幅器２ａ，２ｂの出力側とが対向するようトランジスタを設置し、これらの間に１／４波長線路６ａ，６ｂを接続する。また、１／４波長線路６ａ，６ｂとピーク増幅器２ａ，２ｂの出力との接続点と出力端子８との間に信号合成器７を接続する。尚、信号分配器５ａは、入力端子４からの信号をキャリア増幅器１ａ，１ｂに分配する分配器であり、信号分配器５ｂは、１／４波長線路３の出力信号をピーク増幅器２ａ，２ｂへ分配する分配器である。
実施の形態３のドハティ増幅器の動作は実施の形態１と同様であるため、ここでの説明は省略する。
【００２６】
このように、実施の形態３のドハティ増幅器では、キャリア増幅器１ａ，１ｂの出力側とピーク増幅器２ａ，２ｂの出力側とを対向設置したため、これらキャリア増幅器１ａ，１ｂおよびピーク増幅器２ａ，２ｂの入力側を外側とすることができる。従って、実施の形態１，２に示すような入力側のクロス配線を解消することができ、構成を簡素化することができる。
【００２７】
また、図４に示すように、単位ドハティ増幅器１００ａ，１００ｂの出力を、１／２波長線路からなる信号合成器９で接続し、電力合成することで、図３に示すような出力側のクロス配線も解消することができ、構成を一層簡素化することができる。
【００２８】
以上説明したように、実施の形態３のドハティ増幅器によれば、それぞれの単位ドハティ増幅器におけるキャリア増幅器の出力側とピーク増幅器の出力側とをそれぞれ対向するよう設置し、かつ、キャリア増幅器とピーク増幅器との間に第２の１／４波長線路を接続したので、クロス配線を削減することができ、構成を簡素化することができる。
【００２９】
実施の形態４．
図５は、実施の形態４のドハティ増幅器を示す構成図である。
実施の形態４のドハティ増幅器は、単位ドハティ増幅器におけるキャリア増幅器とピーク増幅器とを縦続接続したものであり、図示例では、二つが縦続接続されている例を示している。
【００３０】
図５において、ドライバ増幅器１０ａ，１０ｂは、キャリア増幅器１ａ，１ｂに縦続接続される前段側のキャリア増幅器であり、ドライバ増幅器１１ａ，１１ｂは、ピーク増幅器２ａ，２ｂに縦続接続される前段側のピーク増幅器である。その他の構成は、実施の形態３の図４に示した構成と同様であるため、対応する部分に同一符号を付してその説明を省略する。尚、実施の形態４のように、増幅器が多段接続された場合、単位ドハティ増幅器における最終段のキャリア増幅器１ａ，１ｂとピーク増幅器２ａ，２ｂとが対向設置されることになる。
【００３１】
実施の形態４のドハティ増幅器の基本的な動作は実施の形態１と同様であるが、キャリア増幅器１ａ，１ｂとピーク増幅器２ａ，２ｂとが縦続接続されているため、より高利得化することができる。
【００３２】
尚、上記実施の形態４では、図４の構成に適用した例を示したが、図１〜図３の構成に対して適用することも可能である。
【００３３】
以上説明したように、実施の形態４のドハティ増幅器によれば、一つのキャリア増幅器及び一つのピーク増幅器に代えて、縦続接続した複数のキャリア増幅器及び縦続接続した複数のピーク増幅器により、単位ドハティ増幅器を構成するようにしたので、ドハティ増幅器としてより高利得化することができる。
【００３４】
実施の形態５．
図６は、実施の形態５のドハティ増幅器を示す構成図である。
実施の形態５のドハティ増幅器は、実施の形態４におけるドライバ増幅器を共用するようにしたものであり、実施の形態４におけるドライバ増幅器１０ａ，１０ｂがドライバ増幅器１２に、ドライバ増幅器１１ａ，１１ｂがドライバ増幅器１３に対応している。即ち、入力端子４と信号分配器５ａとの間にドライバ増幅器１２が接続され、このドライバ増幅器１２をキャリア増幅器１ａ，１ｂが共用する。また、１／４波長線路３と信号分配器５ｂとの間にドライバ増幅器１３が接続され、このドライバ増幅器１３をピーク増幅器２ａ，２ｂが共用する。さらに、これらドライバ増幅器１２とドライバ増幅器１３とはそれぞれの入力側が対向するよう設置されている。その他の構成は実施の形態３の図４に示す構成と同様であるため、対応する部分に同一符号を付してその説明を省略する。
【００３５】
実施の形態５のドハティ増幅器の基本的な動作は実施の形態４と同様であるが、キャリア増幅器１ａ，１ｂとピーク増幅器２ａ，２ｂの最前段の増幅器を共用しているため、ドライバ増幅器の台数を削減し、装置の大型化を抑えながら高利得化を図ることができる。
【００３６】
尚、上記実施の形態５では、図４の構成に適用した例を示したが、図１〜図３の構成に対してドライバ増幅器１２，１３を適用することも可能である。また、最前段の増幅器を共用する構成であれば、後段側の増幅器が２段以上であってもよい。
【００３７】
以上説明したように、実施の形態５のドハティ増幅器によれば、縦続接続する最前段のキャリア増幅器及びピーク増幅器を複数の単位ドハティ増幅器における後段側のキャリア増幅器及びピーク増幅器で共用するようにしたので、ドハティ増幅器の大型化を抑えながら高利得化を図ることができる。
【００３８】
また、実施の形態５のドハティ増幅器によれば、共用する最前段のキャリア増幅器とピーク増幅器を、それぞれの入力側が対向して設置するようにしたので、クロス配線を防止することができるため、構成が複雑化するのを防止することができる。
【００３９】
尚、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４０】
１ａ，１ｂ  キャリア増幅器、２ａ，２ｂ  ピーク増幅器、３  １／４波長線路（第１の１／４波長線路）、４  入力端子、５，５ａ，５ｂ  信号分配器、６ａ，６ｂ  １／４波長線路（第２の１／４波長線路）、７，９  信号合成器、８  出力端子、１００ａ，１００ｂ，１００ｃ，１００ｄ  単位ドハティ増幅器。
【図１】
0005599364.tif 000002
【図２】
0005599364.tif 000003
【図３】
0005599364.tif 000004
【図４】
0005599364.tif 000005
【図５】
0005599364.tif 000006
【図６】
0005599364.tif 000007
【図７】
0005599364.tif 000008
【図８】
0005599364.tif 000009
【図９】
0005599364.tif 000010
【図１０】
0005599364.tif 000011
【図１１】
0005599364.tif 000012
【図１２】
0005599364.tif 000013
【図１３】
0005599364.tif 000014